(57)【要約】【課題】便が漏出せず臭気が無く再利用が容易な人工肛門用装具を提供する。【解決手段】平面視中央部に人工肛門保持用切片が貼着された開口部が設けられ、該開口部を内接して環状に設けられた吸水ガイド保持体を有する人工肛門用面板と、人体からの排泄物を受ける人工肛門用パウチと、該排泄物を吸着する吸水ガイドとから構成されるか、または平面視中央部に人工肛門装着用小径開口部を有する人体からの排泄物を吸着する吸水ガイドと、該吸水ガイドを挿入し保持する開口部及び該開口部の周縁に環状に設けられた吸水ガイド保持体を有する人工肛門用面板と、人体からの排泄物を受ける人工肛門用パウチとから構成されることを特徴とする。【選択図】        図１
2005270571.tif 000002
【特許請求の範囲】
【請求項１】
平面視中央部に人工肛門保持用切片が貼着された開口部が設けられ該開口部を内設して環状に立設した吸水ガイド保持体を有する人工肛門用面板と、人体からの排泄物を受ける人工肛門用パウチと、前記吸水ガイド保持体と人工肛門保持用切片との間に保持され、前記排泄物を吸着する吸水ガイドとを備えたことを特徴とする人工肛門用装具。
【請求項２】
平面視中央部に人工肛門装着用小径開口部を有し人体からの排泄物を吸着する吸水ガイドと、開口部を有し該開口部の周縁に環状に立設された給水ガイド保持体を有する人工肛門用面板と、人体からの排泄物を受ける人工肛門用パウチとからなる人工肛門用装具。
【発明の詳細な説明】
【技術分野】
【０００１】
本発明は、人工肛門用装具に関するものである。
【背景技術】
【０００２】
従来、人工肛門用装具としては底部が開口した底部開口型と、袋状の閉塞型の二種類が使用されている。この二種類の人工肛門用装具には各々人工肛門用面板と人工肛門用パウチが装着されており、人工肛門部を該人工肛門用面板に設けられた透孔に挿入し、接着剤等により人体と貼着し使用されている。尚、以下、人工肛門用面板を面板、人工肛門用パウチをパウチと記載する。
【発明の開示】
【発明が解決しようとする課題】
【０００３】
しかし、従来の人工肛門用装具では、人体が上下、左右の運動の際にパウチ内に蓄積された便が飛散し、面板に設けられた透孔部に付着し、時間経過と共に透孔から便が漏出するという問題があった。このため同時に臭気も周囲に漏れるという問題があった。
【０００４】
さらに、上記パウチ内に蓄積された便を一日に何回も廃棄する手間を要し、その都度パウチ内の洗浄を伴い大変不便であった。
【０００５】
上記の問題点を解決するため、内容物に面し、かつ内容物に耐え得る第１層を内面に備えるシートを有し、そのシートは、バッグの内容物を水洗トイレに廃棄できるようにするために、水洗便器内の水に加えたアルカリに触れると分解するようになっている第２層を外面に有することを特徴とする、人の排泄物のために使用される水洗トイレに使い捨て可能なバッグが提案されている。（特許文献１参照）
【０００６】
【特許文献１】特開昭６３−６３４５６号公報
【０００７】
しかしながら、上記のバッグでは、便が漏出するという問題は解決されず、しかもバッグごと廃棄するためコスト高になるという問題があった。
【０００８】
本発明は、上記従来技術の問題点に鑑みなされたものであり、便が漏出しないため、臭気が無く、再利用が容易な人工肛門用装具を提供することを目的とするものである。
【課題を解決するための手段】
【０００９】
このため、本発明の人工肛門用装具は、平面視中央部に人工肛門保持用切片を貼着された開口部が設けられ該開口部を内設して環状に立設された吸水ガイド保持体を有する人工肛門用面板と、人体からの排泄物を受ける人工肛門用パウチと、前記保持体と人工肛門用切片の間に保持され、該排泄物を吸着する吸水ガイドとを備えたことを第１の特徴とする。
【００１０】
次に、平面視中央部に人工肛門装着用小径開口部を有する吸水ガイドと、該吸水ガイドを装入、保持する開口部及び該開口部の周縁に環状に立設された吸水ガイド保持体を有する人工肛門用面板と、人体からの排泄物を受ける人工肛門用パウチとからなることを第２の特徴とする。
【発明を実施するための最良の形態】
【００１１】
以下、本発明を実施するための最良の形態を図面に示す実施例に基づいて説明する。図１は、本発明に係る人工肛門用装具の一実施例を示す平面図である。図２は、図１の裏面図である。図３は面板を示す説明図である。図４は、図１の右側面図である。図５乃至図７は、本発明に係る人工肛門用装具の他の実施例を示す説明図であり、図５（ａ）は面板４０１の平面図、図５（ｂ）はその正面図である。図６（ａ）は吸水ガイド３０１の平面図、図６（ｂ）はそのＢ−Ｂ線断面図である。図７は人工肛門用装具１０１の右側面断面図である。図８は、本発明に係る人工肛門用装具の使用状態の一実施例を示す説明図である。
【実施例】
【００１２】
図１乃至図４に示すように、本発明に係る人工肛門用装具１は、平面視中央部に人工肛門用切片８を有する略円形の開口部９が設けられ、開口部９を内設し環状に立設された吸水ガイド保持体７を有する面板４と、吸水ガイド保持体７に対向するようにパウチ２の上部に、円形の開口部１０と、この開口部１０の周囲に取り付けられた接続用リング体５とを有し、吸水ガイド保持体７と人工肛門接続用切片８との間に人の排泄物を吸着する吸水ガイド３が保持され、接続用リング体５が吸水ガイド保持体７の外縁部に挿入され面板４とパウチ２は接着接続される。ここで使用される接着剤は繰り返し接着が可能なものであり、面板４とパウチ２は繰り返し取り付け、取り外しが可能である。
【００１３】
パウチ２は、透明な樹脂シートなどで底部が閉塞された袋状に形成されたものであり、上部に接続用リング体５が固着された円形の開口部１０が開口されている。接続用リング体５の外周側縁には、舌片６が突設されており、面板４からパウチ２を取り外す際に面板４を押えながらこの舌片６を引っ張ると、容易に取り外すことができる。尚、パウチ２は底部が開口されたものであっても構わない。
【００１４】
図３（ａ）は面板４の平面図、図３（ｂ）は、その裏面図、図３（ｃ）は、その正面図、図３（ｄ）は、図３（ａ）のＡ−Ａ線断面図である。図３（ａ）乃至図３（ｄ）に示すように、面板４は、円形で中央部に人工肛門の径と略同径の円形開口部９を有する鍔状のプレート１３からなり、開口部９の周囲に環状に吸水ガイド保持体７が立設され、吸水ガイド保持体７で囲まれたプレート１３の表面には、人工肛門の径より小径の開口部１２を設けた人工肛門保持用切片８が貼着されている。吸水ガイド保持体７の外周側のプレート１３の表面には、接続用リング体５との接続のため接着剤（図示せず）と剥離紙１１ａが重合して貼着されている。またプレート１３の裏面には、人体に貼着するために接着剤（図示せず）と剥離紙１１ｂが重合して貼着され、さらに剥離紙１１ｂには、人指等で用意に剥がせるように切れ目が入れてある。尚、上記の接着剤（図示せず）は両面テープであっても構わない。
【００１５】
吸水ガイド３は、吸水性且つ水溶性を有する衛生管理された市販紙で中空の円筒形に成形されており、吸水ガイド保持体７と人工肛門保持用切片８の間に保持することができる。人工肛門から排泄された便は、吸水ガイド３で殆ど吸着されるためパウチ２内での飛散が低減し、しかも人工肛門保持用切片８を使用しているため、便が開口部９に付着し漏出することも低減し、このため臭いの発生も抑制される。この際、吸水ガイド３は、便に含まれる水分により膨潤し、吸水ガイド保持体７と人工子肛門保持用切片８と密着されて、吸水ガイド保持体７からの脱落を防止することができる。さらに、使用済みの吸水ガイド３は面板４を押えながら舌片６を引っ張ることにより面板４とパウチ２を分離して容易に取り出し、交換することができる。便は吸水ガイド３で殆ど吸着されるため、交換を頻繁に行うことによりパウチ２内の洗浄を頻繁に行う必要もなく、またパウチ２も繰り返し使用することができる。
【００１６】
次に、他の実施例について説明する。面板４０１は、円形で中央部に開口部９０１が設けられた鍔状のプレート１３１と、表面に開口部９０１周縁に吸水ガイド保持体７０１が環状に立設され、吸水ガイド保持体７０１の外周側のプレート１３１の表面には接続用リング体５０１との接続のため接着剤（図示せず）と剥離紙１１１ａが重合して貼着されている。またプレート１３１の裏面には人体と貼着するため接着剤（図示せず）と剥離紙１１１ｂが重合して貼着されている。
【００１７】
吸水ガイド３０１は人工肛門接続用小径開口部１４を有する中空構造となっており、前記吸水ガイド３と同じ吸水性且つ水溶性を有する衛生管理された市販紙が用いられ、円形の開口部９０１の径と略同径の円筒形に成形され、開口部９０１と吸水ガイド保持体７０１の間に挿入して保持される。人工肛門から排泄された便は吸水ガイド３０１にて殆ど吸着され、パウチ２０１内での飛散が低減する。また便に含まれる水分により吸水ガイド３０１が膨潤し開口部９０１と人工肛門とが密着するため開口部９０１から便が漏出せず、このため臭いの発生も抑制される。さらに人体に吸水ガイド３０１が直接接触するため便による被れや接着剤による被れが減少する。
【００１８】
次に、本実施例の使用方法と作用について説明する。図８は、本発明に係る人工肛門用装具１の使用状態の一実施例を示す説明図である。図８に示すように、吸水ガイド３を面板４の吸水ガイド保持体７とプレート１３（図３ｃ参照）に囲まれた人工肛門保持用切片８上に挿入し固定する。次に面板４表面の剥離紙１１ａ（図３ｃ参照）を取り除き、パウチ２の開口部５に取り付けられた接続用リング体５を吸水ガイド保持体７及び吸水ガイド３を包含するように吸水ガイド保持体７の外縁部に差込み接続する。さらに面板４の裏面に貼着されている剥離紙１１ｂ（図３ｃ参照）を剥し、プレート１３の開口部９と人体１５の人工肛門１５ａの位置を対応させて、人体１５に貼着する。この際人工肛門１５ａは前記人工肛門保持用切片８により保持される。
【００１９】
この状態で、人工肛門１５ａから便１６を排泄する。この排泄された便１６はプレート１３の略中央部の開口部５から吸水ガイド３に取り入れられ、殆ど吸着される。また人工肛門保持用切片８により便１６が開口部５から漏出する恐れもない。このため、人体１５が上下、左右の運動の際にパウチ２内で便が飛散したり、臭気が漏れる心配がない。
【００２０】
十分便を吸着した吸水ガイド３は、パウチ２と面板４を外して取り出せ水洗トイレ等で容易に廃棄することができる。この際舌片６を用いることでパウチ２と面板４は簡単に外すことができ、また吸水ガイド３は水溶性であるため水洗トイレ内で詰まることなく処理される。
【００２１】
尚、図７に示した他の実施例の人工肛門用装具を使用する場合も図８の実施例と同様な効果が得られる。
【００２２】
以上、本発明による人工肛門用装具によれば、便が殆ど吸水ガイドに吸着されるためパウチ内で便が飛散せず、しかも便が開口部から漏出しないため臭気も無く、しかもパウチ内の洗浄の必要がなく経済的である。さらに、人工肛門と面板の裏面に設けられた接着剤とが直接接触する事がないため、人工肛門や周囲の皮膚が被れる心配もないという優れた効果を有する。
【図面の簡単な説明】
【００２３】
【図１】図１は、本発明に係る人工肛門用装具の平面図である。
【図２】図２は、図１の裏面図である。
【図３】図３は、面板の説明図である。
【図４】図４は、図１の右側面図である。
【図５】図５は、本発明に係る面板の他の実施例の説明図である。
【図６】図６は、本発明に係る吸水ガイドの実施例の説明図である。
【図７】図７は、本発明に係る人工肛門用装具の他の実施例の右側面断面である。
【図８】図８は、本発明に係る人工肛門用装具の使用状態の一実施例を示す説明図である。
【符号の説明】
【００２４】
１、１０１      人工肛門用装具
２、２０１      パウチ
３、３０１      吸水ガイド
４、４０１      面板
５、５０１      接続用リング体
６、６０１      舌片
７、７０１      吸水ガイド保持体
８              人工肛門保持用切片
９、９０１      開口部
１０、１００      開口部
１１ａ、１１１ａ  剥離紙
１１ｂ、１１１ｂ  剥離紙
１２              開口部
１３、１３１      プレート
１４              小径開口部
１５              人体
１５ａ            人工肛門
１６              便
【図１】
2005270571.tif 000003
【図２】
2005270571.tif 000004
【図３】
2005270571.tif 000005
【図４】
2005270571.tif 000006
【図５】
2005270571.tif 000007
【図６】
2005270571.tif 000008
【図７】
2005270571.tif 000009
【図８】
2005270571.tif 000010